【事件の表示】
　特願２０１６−８１３０７号「遊技機」拒絶査定不服審判事件〔平成２９年１０月１９日出願公開、特開２０１７−１８９４５５号〕について、次のとおり審決する。
【結　論】
　本件審判の請求は、成り立たない。
【理　由】
第１　手続の経緯
　本願は、平成２８年４月１４日の出願であって、平成３０年３月２９日に手続補正書が提出され、同年１１月２９日付けで拒絶の理由が通知され、平成３１年１月１８日に意見書及び手続補正書が提出され、令和１年６月３日付けで最後の拒絶の理由が通知され、同年８月５日に意見書及び手続補正書が提出されたところ、令和２年１月１０日付け（発送日：同年同月２１日）で令和１年８月５日付け手続補正が却下されるとともに拒絶査定がなされ、それに対して、令和２年３月１１日に拒絶査定不服審判の請求がなされると同時に手続補正がなされたものである。
第２　令和２年３月１１日付けの手続補正についての補正の却下の決定
［補正の却下の決定の結論］
　令和２年３月１１日付けの手続補正（以下、「本件補正」という。）を却下する。
［理由］
１　補正の内容
　本件補正は、本件補正前の特許請求の範囲、すなわち平成３１年１月１８日になされた手続補正により補正された特許請求の範囲の請求項１ないし２の記載を、以下のとおり、本件補正後の特許請求の範囲の請求項１のものに補正するものである（下線は補正箇所を示す。なお、本件補正後のＡないしＬの符号は合議体により付与されたものである。）。
本件補正前
「【請求項１】
　遊技盤を設けてなる遊技機本体と、
　前記遊技盤の盤面に対向可能な透明板を有して、前記遊技機本体に対し前記遊技盤の盤面側にて開閉可能に支持される前扉と、
　前記遊技盤にその裏側から設けられる裏部品と、
　前記遊技盤に形成してなる盤面部品取り付け用開孔部にその前側から対向するように前記遊技盤の盤面に設けられる盤面部品とを備える遊技機において、
　前記裏部品は、
　前記遊技盤にその裏側から設けられる裏カバーと、
　前記遊技盤に形成してなる中央開口部に対向するように前記裏カバーに形成してなる組み付け穴部に前記中央開口部を通してその前方から視認可能なように組み付けられて演出表示を行う表示装置と、
　前記盤面部品用開口部に対向するように支持される磁気センサとを備えており、
　前記遊技盤の盤面に沿い転動する遊技球を前記盤面部品に誘導するように当該遊技球に対し前記前扉の前記透明板を介し磁石を対向させたとき、前記磁石センサは、前記磁石の磁気を検出してエラー検出信号を発生し、
　前記表示装置は、その表示面の全面に亘り、所定のエラー画像を、前記演出表示中の表示内容を視認できないように、前記磁石センサの前記エラー検出信号に基づき、表示することを特徴とする遊技機。
　　【請求項２】
　遊技盤を設けてなる遊技機本体と、
　前記遊技盤の盤面に対向可能な透明板を有して、前記遊技機本体に対し前記遊技盤の盤面側にて開閉可能に支持される前扉と、
　前記遊技盤にその裏側から設けられる裏部品と、
　前記遊技盤に形成してなる盤面部品取り付け用開孔部にその前側から対向するように前記遊技盤の盤面に設けられる盤面部品とを備える遊技機において、
　前記裏部品は、
　前記遊技盤にその裏側から設けられる裏カバーと、
　前記遊技盤に形成してなる中央開口部に対向するように前記裏カバーに形成してなる組み付け穴部に前記中央開口部を通してその前方から視認可能なように組み付けられて演出表示を行う表示装置と、
　前記盤面部品用開口部に対向するように前記遊技盤の裏面側に支持される磁気センサとを備えており、
　前記遊技盤の盤面に沿い転動する遊技球を前記盤面部品に誘導するように当該遊技球に対し前記前扉の前記透明板を介し磁石を対向させたとき、前記磁石センサは、前記磁石の磁気を検出してエラー検出信号を発生し、
　前記表示装置は、その表示面の全面に亘り、所定のエラー画像を、前記演出表示中の表示内容を視認できないように、前記磁石センサの前記エラー検出信号に基づき、表示することを特徴とする遊技機。」
本件補正後
「【請求項１】
Ａ　遊技盤を設けてなる遊技機本体と、
Ｂ　前記遊技盤の盤面に対向可能な透明板を有して、前記遊技機本体に対し前記遊技盤の盤面側にて開閉可能に支持される前扉と、
Ｃ　
裏
、
Ｄ　
盤
Ｅ　を備える遊技機において、
Ｃ　前記裏部品は、
Ｆ　前記遊技盤にその裏側から設けられる裏カバーと、
Ｇ　前記遊技盤に形成してなる中央開口部に対向するように前記裏カバーに形成してなる組み付け穴部に前記中央開口部を通してその前方から視認可能なように組み付けられて演出表示を行う表示装置と、
Ｈ　
磁
Ｉ　
前記盤面部品は、前記遊技盤に形成してなる盤面部品取り付け用開口部にその前側から取り付けられており、
Ｊ　
前記磁気センサは、前記裏カバーに支持されて前記盤面部品取り付け用開口部に対しその後側から直接対向してお
Ｋ　前記遊技盤の盤面に沿い転動する遊技球を前記盤面部品に誘導するように当該遊技球に対し前記前扉の前記透明板を介し磁石を対向させたとき、前記
磁気
Ｌ　前記表示装置は、その表示面の全面に亘り、所定のエラー画像を、前記演出表示中の表示内容を視認できないように、前記
磁気
Ｅ　ことを特徴とする遊技機。」
（以下、本件補正後の請求項１に記載された事項によって特定される発明を、「本願補正発明」という。）
２　補正の適否について
（１）　補正事項
　本件補正は、以下の補正事項を含むものである。
ア　補正事項ア
　本件補正前の請求項２に係る発明を削除する。
イ　補正事項イ
　本件補正前の請求項１に係る発明を特定するために必要な事項である「裏部品」に関して、「前記遊技盤にその裏側から設けられる」の記載を削除する。
ウ　補正事項ウ
　本件補正前の請求項１に係る発明を特定するために必要な事項である「盤面部品」に関して、「前記遊技盤に形成してなる盤面部品取り付け用開孔部にその前側から対向するように前記遊技盤の盤面に設けられる」の記載を削除する。
エ　補正事項エ
　本件補正前の請求項１に係る発明を特定するために必要な事項である「磁気センサ」に関して、「前記盤面部品用開口部に対向するように支持される」の記載を削除する。
オ　補正事項オ
　本件補正前の請求項１に係る発明を特定するために必要な事項である「盤面部品」に関して、「前記盤面部品は、前記遊技盤に形成してなる盤面部品取り付け用開口部にその前側から取り付けられており、」との限定事項を追加する。
カ　補正事項カ
　本件補正前の請求項１に係る発明を特定するために必要な事項である「磁気センサ」に関して、「前記磁気センサは、前記裏カバーに支持されて前記盤面部品取り付け用開口部に対しその後側から直接対向しており、」との限定事項を追加する。
キ　補正事項キ
　本件補正前の請求項１に係る発明を特定するために必要な事項である「前記磁石センサ」を、「前記磁気センサ」に補正する。
（２）　新規事項追加の有無について
　上記の各補正事項が願書に最初に添付した明細書、特許請求の範囲及び図面（以下「当初明細書等」という。）に記載した事項の範囲内のものであるか否かについて検討する。
　補正事項カにおいて、「前記磁気センサは、前記裏カバーに支持されて前記盤面部品取り付け用開口部に対しその後側から直接対向しており、」との限定事項を追加されたが、当初明細書等には、「直接対向」という記載は無く、「磁気センサ」を「盤面部品取り付け用開口部に対しその後側から」「対向」させるにあたって、どのように対向させたのかについて説明した記載も存在しない。
　この点に関して、請求人は、審判請求書において、
「（１−３）補正の根拠
　本願発明は、本審判請求前における本願の特許請求の範囲の旧請求項１の記載及び本願の明細書の各段落番号「００３２」、「００３７」、「００６１」〜「００７２」の欄等の記載及び本願の図面中図８及び図１０との記載に基づく。従って、新規事項の追加には当たらない。」
と主張している。
　しかしながら、請求人が主張する上記の箇所には「直接対向」という記載は存在せず、審判請求書において、「直接対向」するとは、どのような態様を表現しているのか、及び、上記の箇所の記載に基づいて、どのようにして「直接対向」する構成が導き出されるのか、十分な説明がなされていない。
　
　してみると、請求人による本件補正の根拠についての主張を参酌しても、本件補正が、当初明細書等のすべての記載を総合することにより導かれる技術的事項との関係において、新たな技術的事項を導入するものではないとする根拠を見いだすことはできない。
　したがって、本件補正は、当初明細書等のすべての記載を総合することにより導かれる技術的事項との関係において、新たな技術的事項を導入しないものであるとはいえないことから、当初明細書等に記載された事項の範囲内においてしたものとはいえず、特許法第１７条の２第３項に規定する要件を満たしていないものである。
（３）　本件補正の目的について
　本件補正の目的について以下に検討する。
　上記の各補正事項のうち、補正事項アは、特許法第１７条の２第５項第１号に掲げる請求項の削除を目的とするものである。
　上記の各補正事項のうち、補正事項イないしカは、全体として、特許法第１７条の２第５項第２号に掲げる特許請求の範囲の減縮を目的とするものである。
　上記の各補正事項のうち、補正事項キは、特許法第１７条の２第５項第３号に掲げる誤記の訂正を目的とするものである。
３　独立特許要件について
　本件補正は、特許法第１７条の２第５項第１号に掲げる請求項の削除、第２号に掲げる特許請求の範囲の減縮、及び、第３号に掲げる誤記の訂正を目的とするものであるから、本件補正後の請求項１に係る発明（以下「本願補正発明」という。）が、特許出願の際独立して特許を受けることができるものであるか（特許法第１７条の２第６項において準用する同法第１２６条第７項の規定に適合するか）について、以下、検討する。
（１）　本願補正発明
　本願補正発明は、上記１の「本件補正後」に記載したとおりのものである。
（２）　引用文献
ア　引用文献１
（ア）　記載事項
　原査定の拒絶の理由において引用された、本願の出願前に公開された特開２０１３−１４６３９４号公報（以下、「引用文献１」という。）には、以下の事項が記載されている（下線は当審で付した。以下、同様。）。
引１−ア
「【００１３】
　以下、本発明の実施形態を図面に基づいて詳述する。図１〜図１２は本発明を
パチンコ機
遊技機本体１
ヒンジ３を介して縦軸心廻りに開閉及び着脱自在に枢着された内枠４
を備え
【００１４】
　
内枠４に
遊技盤５
が
配置され
その内枠４の前側に
遊技盤５の前側を覆
ガラス扉６
ヒンジ３と同じ側のヒンジ８により開閉及び着脱自在に枢着され
遊技盤５側の遊技領域５ａに対応するガラス窓９が設けられ
【００１５】
　
遊技盤５の前面側に
発射手段により発射された遊技球を案内するガイドレール１２
配置され
そのガイドレール１２内の遊技領域５ａには、
普通入賞口ユニット１７
が着脱自在に装着され
遊技盤５の裏側には、
画像表示手段１８を保持する裏ケース１９、不正防止センサユニット２０
が装着され
引１−イ
「【００１７】
　
中央表示ユニット１３は、遊技領域５ａの略中央に配置される画像表示手段１８の表示枠を構成するもので、遊技盤５に設けられた表示枠装着孔５ｂ（図４）に前側から着脱自在に装着され、ねじ止め等により遊技盤５に固定されており、その略中央の表示窓２２
が設けられている。
【００１８】
　また
裏ケース１９は、
その略中央に画像表示手段１８の表示画面１８ａに対応
矩形状の開口部２９
形成され
遊技盤５の裏側に装着され、
画像表示手段１８は、演出図柄表示手段３０等を構成するもので、その表示画面１８ａを開口部２９に一致させた状態で裏ケース１９の背面側に着脱自在に固定され
引１−ウ
「【００３６】
　
普通入賞口ユニット１７は、
３つの第１〜第３普通入賞手段６１ａ〜６１ｃが上部側から下部側にかけて一列状に配置され
遊技盤５に設けられた普通入賞口ユニット装着孔５ｅに対して前側から着脱自在に装着され、ねじ止め等により遊技盤５に固定され
【００３７】
　第１〜第３普通入賞手段６１ａ〜６１ｃは、図２，図３及び図６に示すように、遊技領域５ａ内で上向きに開口する第１〜第３普通入賞口６２ａ〜６２ｃと、第１〜第３普通入賞口６２ａ〜６２ｃに入賞した（所定部位を通過した）遊技球を検出する近接センサ６４ａ〜６４ｃとを備えている。近接センサ６４ａ〜６４ｃは、第１〜第３普通入賞口６２ａ〜６２ｃに入賞した遊技球を夫々遊技盤５の後側まで案内する後方案内通路６３の後端側に配置されており、第１〜第３普通入賞口６２ａ〜６２ｃに入賞した遊技球を遊技盤５の後側で検出するようになっている。
【００３８】
　近接センサ６４ａ〜６４ｃからの検出信号に基づいて遊技球が第１〜第３普通入賞口６２ａ〜６２ｃに入賞したものと判定された場合には、１個の入賞につき、第１〜第３普通入賞口６２ａ〜６２ｃ毎に設定された所定個数の賞球が払い出される。なお、第１〜第３普通入賞口６２ａ〜６２ｃのうちの２以上が同じ賞球払い出し個数に設定されている場合には、それらの入賞口に入賞した遊技球を共通の近接センサで検出するようにしてもよい。
【００３９】
　
不正防止センサユニット２０は、
磁気センサ７１と、
磁気センサ７１
を
遊技盤５の後側で保持するセンサホルダ７３
で構成され
【００４０】
　
磁気センサ７１は、ガラス窓９の前側に強力な磁石が押し当てられたような場合にその磁気を検知
主制御基板７５に磁気検知信号を出力
引１−エ
「【００４６】
　
センサホルダ７３は、
普通入賞口ユニット１７の後側に対応して裏ケース
１９の前側にねじ止め等により着脱自在に固定されるベース体８３と、このベース体８３に着脱自在に装着される保持体８４とで構成され
　・・・
【００４８】
　
磁気センサ保持部８１は、
保持体８４上に設けられ、前端部に磁気センサ７１の端面を露出させるための前開口部８１ａが
設けられた前後方向の角筒状に形成されており、磁気センサ７１を、
その先端面が遊技盤５の背面に当接又は近接する位置で保持するようになって
引１−オ
「【００５５】
　続いて、本パチンコ機の制御系のうち、大玉ゴト等による不正入賞を監視するための構成について説明する。本実施形態の
主制御基板７５には、
入賞処理手段９１
が設けられ
入賞処理手段９１には、磁気センサ７１
からの検知信号に基づいて不正行為の蓋然性の高い異常を監視する異常監視手段９４が設けられ
引１−カ
「【００５９】
　
異常監視手段９４は、磁気センサ７１から磁気検知信号を受けた場合、
画像表示手段１８へのエラー表示
を実行する
引１−キ
「【図１】
」
引１−ク
「【図２】
」
引１−ケ
「【図３】
」
引１−コ
「【図６】
」
引１−サ
「【図７】
」
引１−シ
「【図８】
」
引１−ス
「【図１２】
」
（イ）　認定事項
ａ　認定事項ア
　【００１５】における「ガイドレール１２内の遊技領域５ａには、中央表示ユニット１３」「が」「装着され」の記載、【００１７】における「中央表示ユニット１３は、遊技領域５ａの略中央に配置される画像表示手段１８の表示枠を構成するもので、遊技盤５に設けられた表示枠装着孔５ｂ（図４）に前側から着脱自在に装着され、ねじ止め等により遊技盤５に固定されており、その略中央の表示窓２２」「が設けられている。」の記載より、「
遊技盤５の遊技領域５ａには、画像表示手段１８の表示枠を構成する表示窓２２が設けられた中央表示ユニット１３が装着され
ｂ　認定事項イ
　「パチンコ機における遊技盤の正面図」が記載された図２を参照すると、
表示窓２２を通して、画像表示手段１８の表示画面１８ａを視認可能である
ｃ　認定事項ウ
　図１２には、「パチンコ機の制御系」の構成が図示されており、「パチンコ機」が、「
主制御基板７５
を有す
（ウ）　引用発明
　上記（ア）における摘記事項、及び、（イ）おける認定事項を総合すると、引用文献１には以下の発明（以下、「引用発明」という。）が記載されていると認められる。ａないしｌの符号は、本願補正発明の構成ＡないしＬに対応させて合議体により付与したものである。
「ａ　ヒンジ３を介して縦軸心廻りに開閉及び着脱自在に枢着された内枠４を備え、内枠４に遊技盤５が配置された遊技機本体１と（【００１３】、【００１４】）、
ｂ　その内枠４の前側にヒンジ３と同じ側のヒンジ８により開閉及び着脱自在に枢着され、遊技盤５の前側を覆い、遊技盤５側の遊技領域５ａに対応するガラス窓９が設けられたガラス扉６と（【００１４】）、
ｃ　遊技盤５の裏側に装着された、画像表示手段１８を保持する裏ケース１９、及び、不正防止センサユニット２０と（【００１５】）、
ｄ　遊技盤５の前面側に配置された、発射手段により発射された遊技球を案内するガイドレール１２と（【００１５】）、そのガイドレール１２内の遊技領域５ａに着脱自在に装着された普通入賞口ユニット１７（【００１５】）とを備え、
ｅ　主制御基板７５を有するパチンコ機であり（【００１３】、図１、認定事項ウ）、
ｆ　裏ケース１９は、遊技盤５の裏側に装着され（【００１８】）、
ｇ　画像表示手段１８は、演出図柄表示手段３０等を構成するもので、その表示画面１８ａを裏ケース１９の略中央に形成された矩形状の開口部２９に一致させた状態で裏ケース１９の背面側に着脱自在に固定され（【【００１８】）、遊技盤５の遊技領域５ａには、画像表示手段１８の表示枠を構成する表示窓２２が設けられた中央表示ユニット１３が装着され（認定事項ア）、前記表示窓２２を通して、画像表示手段１８の表示画面１８ａを視認可能であるように構成され（認定事項イ）、
ｈ　不正防止センサユニット２０は、磁気センサ７１と、磁気センサ７１を遊技盤５の後側で保持するセンサホルダ７３で構成され（【００３９】）、
ｉ　普通入賞口ユニット１７は、３つの第１〜第３普通入賞手段６１ａ〜６１ｃが上部側から下部側にかけて一列状に配置され、遊技盤５に設けられた普通入賞口ユニット装着孔５ｅに対して前側から着脱自在に装着され、ねじ止め等により遊技盤５に固定され（【００３６】、図６）、
ｊ　センサホルダ７３は、普通入賞口ユニット１７の後側に対応して裏ケース１９の前側にねじ止め等により着脱自在に固定されるベース体８３と、このベース体８３に着脱自在に装着される保持体８４とで構成され（【００４６】、図７）、磁気センサ保持部８１は、保持体８４上に設けられ、前端部に磁気センサ７１の端面を露出させるための前開口部８１ａが設けられた前後方向の角筒状に形成されており、磁気センサ７１を、その先端面が遊技盤５の背面に当接又は近接する位置で保持するようになっており（【００４８】、図８）、
ｋ　磁気センサ７１は、ガラス窓９の前側に強力な磁石が押し当てられたような場合にその磁気を検知し、主制御基板７５に磁気検知信号を出力するように構成されており（【００４０】）、
ｌ　主制御基板７５には、入賞処理手段９１が設けられ、入賞処理手段９１には、磁気センサ７１からの検知信号に基づいて不正行為の蓋然性の高い異常を監視する異常監視手段９４が設けられ（【００５５】）、異常監視手段９４は、磁気センサ７１から磁気検知信号を受けた場合、画像表示手段１８へのエラー表示を実行する（【００５９】）、
ｅ　パチンコ機（【００１３】）。」
イ　引用文献２
（ア）　記載事項
　原査定の拒絶の理由において引用された、本願の出願前に公開された特開２０１５−２９７３０号公報（以下、「引用文献２」という。）には、以下の事項が記載されている
引２−ア
「【００１６】
（パチンコ機の概略構成について）
　実施例に係る
パチンコ機１０
所要の遊技領域３４が画成された遊技盤３０
を備え
引２−イ
「【００２５】
（第１始動入賞部）
　第１始動入賞部４０は、図２、図３および図５に示すように、
遊技領域３４の第１遊技領域３４Ａに配設された第１入賞部材４１
を備え
第１入賞部材４１は、上方に開口した球入口および該球入口に連通して後方へ開口した球出口を備えた第１始動入賞口４３と、該第１始動入賞口４３に一体に形成された取付ベース部４４とを備え、遊技盤３０に前後に貫通するよう形成した第１貫通孔３７
に第１始動入賞口４３の球出口を整合させた状態で、取付ベース部４４を遊技盤３０にネジ止めして該遊技盤３０に取付けられ
引２−ウ
「【００４０】
（第１球排出ユニット）
　前記第１球排出ユニット１１０は、図４に示すように、遊技盤３０前面の第１遊技領域３４Ａに配設された第１始動入賞部４０に入ったパチンコ球、第１普通入賞口５８，５８に入ったパチンコ球、第１特別入賞部５０に入ったパチンコ球の夫々を、中枠１２の後面における遊技盤保持部２５の下方に配設された球処理部（図示せず）へ排出する複数の球排出路が形成されたユニット部材である。すなわち、第１球排出ユニット１１０は、第１始動入賞部４０から通出されたパチンコ球を球処理部へ排出する第１球排出路１１１と、各第１普通入賞口５８，５８から通出されたパチンコ球を球処理部へ排出する第２球排出路１１２と、第１特別入賞部５０から通出されたパチンコ球を球処理部へ排出する第３球排出路１１３とが設けられている。また、第１球排出ユニット１１０には、前記第１始動入賞球検知センサ４５を配設するための第１センサ取付部１４０および第２始動入賞球検知センサ４７を配設するための第２センサ取付部１４５が設けられると共に、第１普通入賞口５８に入賞したパチンコ球を検知する第１普通入賞球検知センサ５９を配設するための第４センサ取付部１６５が設けられている。更に、第１球排出ユニット１１０には、
遊技盤３０の前面おいて第１始動入賞部４０の近傍
で生じた磁気を検知可能な磁気検知センサ
１５５
引２ーエ
「【図５】
」
引２−オ
「【図７】
」
（イ）　認定事項
　上記図７には、磁気検知センサ１５５が、遊技盤３０に対して第１始動入賞部４０の後方に設けられた点が記載されており、上記図５に記載された磁気検知センサ１５５と第１貫通孔３７の位置関係を参酌すると、
第１貫通孔３７の開口の範囲内の後方に対向させて磁気検知センサ１５５が配設され
（ウ）　引用文献２記載事項
　上記（ア）における摘記事項、及び、（イ）における認定事項を総合すると、引用文献２には以下の事項（以下、「引用文献２記載事項」という。）が記載されていると認められる。
「所要の遊技領域３４が画成された遊技盤３０を備えたパチンコ機１０であって（【００１６】）、
　遊技領域３４の第１遊技領域３４Ａに配設された第１入賞部材４１を備え（【００２５】）、
　第１入賞部材４１は、上方に開口した球入口および該球入口に連通して後方へ開口した球出口を備えた第１始動入賞口４３と、該第１始動入賞口４３に一体に形成された取付ベース部４４とを備え、遊技盤３０に前後に貫通するよう形成した第１貫通孔３７に第１始動入賞口４３の球出口を整合させた状態で、取付ベース部４４を遊技盤３０にネジ止めして該遊技盤３０に取付けられ（【００２５】）、
　第１貫通孔３７の開口の範囲内の後方に対向させて、遊技盤３０の前面において第１始動入賞部４０の近傍で生じた磁気を検知可能な磁気検知センサ１５５が配設された（【００４０】、認定事項エ）、
　パチンコ機１０（【００１６】）。」
ウ　引用文献３
（ア）　記載事項
　原査定の拒絶の理由において引用された、本願の出願前に公開された特開２０１６−３００７５号公報（以下、「引用文献３」という。）には、以下の事項が記載されている。
引３−ア
「【０００１】
　本発明は、
弾球遊技機
引３−イ
「【０３７６】
　＜エラー報知の一例／磁気検知エラーのみを報知する場合＞
【０３７７】
　図３６は、図３３〜図３５に示す一遊技中に、磁気検知エラーのみが発生し装飾図柄表示装置２０８において磁気検知エラー報知を行う場合の表示例である。同図における「主：磁気検知ＯＦＦ」の記載は、広範囲磁気センサ７００から主制御部３００に入力される異常な磁気検出信号がない（主制御部３００で磁気検知されていない）ことを示し、「主：磁気検知ＯＮ」は異常な磁気検出信号がある（主制御部３００で磁気検知されている）ことを示す。
　・・・略・・・。
【０３８４】
　同図（ｄ）´のように、
磁気検知エラーが発生した場合は、装飾図柄表示装置２０８に表示されている演出表示
を消去し、
背景をブルースクリーンにし「磁石を検知しました」の文字表示を表示するなどの磁石検知エラー用の表示が表示される
引３−ウ
「【図３６】
」
　
　上記記載より、引用文献３には、以下の事項（以下、「引用文献３記載事項」という。）が記載されていると認められる。
「磁気検知エラーが発生した場合は、装飾図柄表示装置２０８に表示されている演出表示を消去し、背景をブルースクリーンにし「磁石を検知しました」の文字表示を表示するなどの磁石検知エラー用の表示が表示される（【０３８４】）弾球遊技機（【０００１】）。」
（３）　対比
　本願補正発明と引用発明とを対比する。
ア　本願補正発明の構成Ａに関して
　引用発明の構成ａにおける「遊技機本体１」は、「ヒンジ３を介して縦軸心廻りに開閉及び着脱自在に枢着された内枠４を備え、内枠４に遊技盤５が配置され」たものであるから、「遊技機本体１」は「遊技盤５」を備えているといえる。
　してみると、引用発明の構成ａにおける「遊技機本体１」は、本願補正発明の構成Ａにおける「遊技盤を設けてなる遊技機本体」に相当する。
　よって、引用発明は、本願補正発明の構成Ａに相当する構成を有する。
イ　本願補正発明の構成Ｂに関して
　引用発明の構成ｂにおける「遊技盤５の前側を覆い、遊技盤５側の遊技領域５ａに対応するガラス窓９が設けられ」ることは、「ガラス窓９」に透明なガラスが設けられることは当業者の技術常識であるから、本願補正発明の構成Ｂにおける「遊技盤の盤面に対向可能な透明板を有」することに相当する。
　また、引用発明の構成ｂにおける「内枠４の前側に」「開閉及び着脱自在に枢着され」ることは、本願補正発明の構成Ｂにおける「前記遊技機本体に対し前記遊技盤の盤面側にて開閉可能に支持される」ことに相当する。
　したがって、引用発明の構成ｂにおける「遊技盤５の前側を覆い、遊技盤５側の遊技領域５ａに対応するガラス窓９が設けられ」、「内枠４の前側に」「開閉及び着脱自在に枢着され」た「ガラス扉６」は、本願補正発明の構成Ｂにおける「前記遊技盤の盤面に対向可能な透明板を有して、前記遊技機本体に対し前記遊技盤の盤面側にて開閉可能に支持される前扉」に相当する。
　よって、引用発明は、本願補正発明の構成Ｂに相当する構成を有する。
ウ　本願補正発明の構成Ｃに関して
　引用発明の構成ｃにおける「画像表示手段１８」と「画像表示手段１８を保持する裏ケース１９」と「不正防止センサユニット２０」は、いずれも、「遊技盤５の裏側に装着され」るものであるから、それらは、本願補正発明の構成Ｃにおける「裏部材」に相当する。
　よって、引用発明は、本願補正発明の構成Ｃに相当する構成を有する。
エ　本願補正発明の構成Ｄに関して
　引用発明の構成ｄにおける「普通入賞口ユニット１７」は、「遊技盤５の前面側に配置された」「ガイドレール１２」「内の遊技領域５ａに着脱自在に装着され」るものであるから、本願補正発明の構成Ｄにおける「盤面部品」に相当する。
　よって、引用発明は、本願補正発明の構成Ｄに相当する構成を有する。
オ　本願補正発明の構成Ｅに関して
　引用発明の構成ｅにおける「主制御基板７５を有するパチンコ機」は、本願補正発明の構成Ｅにおける「遊技機」に相当する。
　よって、引用発明は、本願補正発明の構成Ｅに相当する構成を有する。
カ　本願補正発明の構成Ｆに関して
　引用発明の構成ｆにおける「遊技盤５の裏側に装着され」る「裏ケース１９」は、本願補正発明の構成Ｆにおける「前記遊技盤にその裏側から設けられる裏カバー」に相当する。
　よって、引用発明は、本願補正発明の構成Ｆに相当する構成を有する。
キ　本願補正発明の構成Ｇに関して
　引用発明の構成ｇにおける「演出図柄表示手段３０等を構成する」「画像表示手段１８」は、本願補正発明の構成Ｇにおける「演出表示を行う表示装置」に相当する。
　また、引用発明の構成ｇにおける「表示窓２２」は、「遊技盤５の遊技領域５ａ」に「装着され」た「中央表示ユニット１３」に設けられたもので「画像表示手段１８の表示画面１８ａを視認可能」とするものであるから、本願補正発明の構成Ｇにおける「前記遊技盤に形成してな」り、それ「を通してその前方から視認可能なように」「演出表示を行う表示装置」が「組み付けられ」る「中央開口部」に相当する。
　そして、引用発明の構成ｇにおける「裏ケース１９の略中央に形成された矩形状の開口部２９」は、本願補正発明の構成Ｇにおける「前記裏カバーに形成してなる組み付け穴部」に相当する。
　したがって、引用発明の構成ｇにおける「裏ケース１９の略中央に形成された矩形状の開口部２９に」「表示画面１８ａを一致させた状態で」「裏面ケース１９に」「固定され」、「遊技盤５の遊技領域５ａ」に「装着され」た「中央表示ユニット１３」に設けられた「表示窓２２を通して、」「表示画面１８ａを視認可能であるように構成され」た「画像表示手段１８」は、本願補正発明の構成Ｇにおける「前記遊技盤に形成してなる中央開口部に対向するように前記裏カバーに形成してなる組み付け穴部に前記中央開口部を通してその前方から視認可能なように組み付けられて演出表示を行う表示装置」に相当する。
　よって、引用発明は、本願補正発明の構成Ｇに相当する構成を有する。
ク　本願補正発明の構成Ｈに関して
　引用発明の構成ｈにおける「不正防止センサユニット２０」を「構成」する「磁気センサ７１」は、本願補正発明の構成Ｈにおける「磁気センサ」に相当する。
　よって、引用発明は、本願補正発明の構成Ｈに相当する構成を有する。
ケ　本願補正発明の構成Ｉに関して
　引用発明の構成ｉにおける「遊技盤５に設けられた普通入賞口ユニット装着孔５ｅ」は、本願補正発明の構成Ｉにおける「盤面部品取り付け用開口部」に相当する。
　したがって、引用発明の構成ｉにおける「普通入賞口ユニット１７」が「遊技盤５に設けられた普通入賞口ユニット装着孔５ｅに対して前側から着脱自在に装着され、ねじ止め等により遊技盤５に固定され」ることは、本願補正発明の構成Ｉにおける「前記盤面部品は、前記遊技盤に形成してなる盤面部品取り付け用開口部にその前側から取り付けられて」いることに相当する。
　よって、引用発明は、本願補正発明の構成Ｉに相当する構成を有する。
コ　本願補正発明の構成Ｊに関して
（ア）　引用発明の構成ｈ及び構成ｊにおける「磁気センサ７１を」「保持する」「センサホルダ７３」の「ベース体８３」が「裏ケース１９の前側にねじ止め等により着脱自在に固定される」ことは、本願補正発明の構成Ｊにおける「前記磁気センサ」が「前記裏カバーに支持され」ることに相当する。
（イ）　引用発明の構成ｈ、構成ｉ及び構成ｊにおける「磁気センサ７１を」「保持する」「センサホルダ７３」の「ベース体８３」が「遊技盤５に設けられた普通入賞口ユニット装着孔５ｅに対して前側から着脱自在に装着され」る「普通入賞口ユニット１７の後側に対応して」「固定される」ことと、本願補正発明の構成Ｊにおける「磁気センサ」が「前記盤面部品取り付け用開口部に対しその後側から直接対向して」「支持され」ることとを対比すると、引用発明において、「普通入賞口ユニット１７の後側」は、「普通入賞口ユニット１７」が「遊技盤５に設けられた普通入賞口ユニット装着孔５ｅに対して前側から着脱自在に装着され」るものであることから、「普通入賞口ユニット装着孔５ｅ」の「後側」であると認められ、また、引用発明における「対応して」「固定される」ことと、本願補正発明における「直接対向して」「支持され」ることは、いずれも、対応させて「支持され」る点で共通することから、両者は、「磁気センサ」が「盤面部品取り付け用開口部に対しその後側」に対応させて「支持され」る点で共通する。
（ウ）　上記（ア）及び（イ）より、引用発明の構成ｈ、構成ｉ及び構成ｊにおける「磁気センサ７１を」「保持する」「センサホルダ７３」の「ベース体８３」が「遊技盤５に設けられた普通入賞口ユニット装着孔５ｅに対して前側から着脱自在に装着され」る「普通入賞口ユニット１７の後側に対応して」「裏ケース１９の前側にねじ止め等により着脱自在に固定される」ことと、本願補正発明の構成Ｊにおける「前記磁気センサは、前記裏カバーに支持されて前記盤面部品取り付け用開口部に対しその後側から直接対向して」いることとは、「前記磁気センサは、前記裏カバーに支持されて前記盤面部品取り付け用開口部に対しその後側」に対応させて「支持され」る点で共通する。
サ　本願補正発明の構成Ｋに関して
　引用発明の構成ｋにおける「磁気センサ７１は、ガラス窓９の前側に強力な磁石が押し当てられたような場合にその磁気を検知し、磁気検知信号を出力」することは、遊技盤５の盤面に沿い転動する遊技球を普通入賞口ユニット１７の第１〜第３普通入賞手段６１ａ〜６１ｃに誘導するように当該遊技球に対しガラス窓９を介し磁石を対向させたときにも「その磁気を検知し、磁気検知信号を出力」するから、本願補正発明の構成Ｋにおける「前記遊技盤の盤面に沿い転動する遊技球を前記盤面部品に誘導するように当該遊技球に対し前記前扉の前記透明板を介し磁石を対向させたとき、前記磁気センサは、前記磁石の磁気を検出してエラー検出信号を発生」することに相当する。
　よって、引用発明は、本願補正発明の構成Ｋに相当する構成を有する。
シ　本願補正発明の構成Ｌに関して
　引用発明の構成ｌにおける「画像表示手段１８」は「磁気センサ７１から磁気検知信号を受けた場合、」「エラー表示」が「実行」されることと、本願補正発明の構成Ｌにおける「前記表示装置は、その表示面の全面に亘り、所定のエラー画像を、前記演出表示中の表示内容を視認できないように、前記磁気センサの前記エラー検出信号に基づき、表示する」ことを対比すると、両者は、「前記表示手段は」、「所定のエラー画像を」「前記磁気センサの前記エラー検出信号に基づき、表示する」点で一致する。
　以上のことから、本願補正発明と引用発明は、以下の点で一致する。
＜一致点＞
「Ａ　遊技盤を設けてなる遊技機本体と、
Ｂ　前記遊技盤の盤面に対向可能な透明板を有して、前記遊技機本体に対し前記遊技盤の盤面側にて開閉可能に支持される前扉と、
Ｃ　裏部品と、
Ｄ　盤面部品と
Ｅ　を備える遊技機において、
Ｃ　前記裏部品は、
Ｆ　前記遊技盤にその裏側から設けられる裏カバーと、
Ｇ　前記遊技盤に形成してなる中央開口部に対向するように前記裏カバーに形成してなる組み付け穴部に前記中央開口部を通してその前方から視認可能なように組み付けられて演出表示を行う表示装置と、
Ｈ　磁気センサとを備えており、
Ｉ　前記盤面部品は、前記遊技盤に形成してなる盤面部品取り付け用開口部にその前側から取り付けられており、
Ｊ’　前記磁気センサは、前記裏カバーに支持されて前記盤面部品取り付け用開口部に対しその後側に対応させて支持されており、
Ｋ　前記遊技盤の盤面に沿い転動する遊技球を前記盤面部品に誘導するように当該遊技球に対し前記前扉の前記透明板を介し磁石を対向させたとき、前記磁気センサは、前記磁石の磁気を検出してエラー検出信号を発生し、
Ｌ’　前記表示装置は、所定のエラー画像を、前記磁気センサの前記エラー検出信号に基づき、表示する
Ｅ　遊技機。」
　そして、両者は、以下の点で相違する。 
 
＜相違点１＞（構成Ｊに関して）
　磁気センサが盤面部品取り付け用開口部に対しその後側に対応させて支持される点に関して、本願補正発明では、磁気センサが盤面部品取り付け用開口部に対し後側から直接対向しているのに対して、引用発明では、磁気センサ７１の先端面が遊技盤５の背面に当接又は近接する位置で保持されているが、磁気センサ７１が普通入賞口ユニット装着孔５ｅの背面に直接対向しているといえるものであるか否かが不明である点。
＜相違点２＞（構成Ｌに関して）
　エラー画像の表示に関して、本願補正発明では、表示装置の表示面の全面に亘り、所定のエラー画像を、演出表示中の表示内容を視認できないように、表示するのに対して、引用発明ではエラー表示の詳細が不明である点。
（４）　検討
ア　相違点１について
　本願補正発明において、「直接対向」することがどのような態様であるのか明確ではなく、「直接対向」することと、単に「対向」することがどのように異なるものであるのか明確ではないが、「直接対向」することには、以下の（ア）及び（イ）に示す２つの態様が推定される。
（ア）磁気センサが盤面部品取り付け用開口部に対しその開口の範囲内の後側に対向していることを、「前記磁気センサは、」「前記盤面部品取り付け用開口部に対しその後側から直接対向して」いるという。
（イ）磁気センサ自体が露出され、当該露出した部分が盤面部品取り付け用開口部に対しその後側から対向していることを、「前記磁気センサは、」「前記盤面部品取り付け用開口部に対しその後側から直接対向して」いるという。
　そこで、上記（ア）及び（イ）のそれぞれの場合について検討する。
（ア）の場合について
　上記（ア）の場合においては、本願補正発明における相違点１に係る構成は、本願補正発明が、磁気センサが盤面部品取り付け用開口部に対しその開口の範囲内の後側から対向しているのに対して、引用発明は、磁気センサ７１が、普通入賞口ユニット装着孔５ｅの開口の範囲内の後側に対向しているか否か不明である点となる。
　そこで、引用文献２記載事項を参照すると、引用文献２記載事項における「磁気検知センサ１５５」及び「第１貫通孔３７」は、それぞれ、本願補正発明の上記相違点１に係る構成における「磁気センサ」及び「盤面部品取り付け用開口部」に相当し、引用文献２記載事項における「磁気検知センサ１５５が」「第１貫通孔３７の開口の範囲内の後方に対向させて」「配設された」構成は、本願補正発明の上記相違点１に係る構成における「磁気センサが盤面部品取り付け用開口部に対しその後側から」「直接対向している」構成に相当する。
　ここにおいて、引用発明と引用文献２記載事項は、いずれも、磁気センサを用いて不正検出を行う遊技機という共通の技術分野に属するものであり、ともに、不正行為を的確に検出するという自明な共通の課題を有するものであるから、引用発明において、磁気センサ７１が普通入賞口ユニット装着孔５ｅに対応させて支持される部位を設定するにあたって、引用文献２記載事項を適用し、磁気センサ７１が普通入賞口ユニット装着孔５ｅに対しその開口の範囲内の後側に直接対向するように構成し、本願補正発明の上記相違点１に係る構成を成すことは、当業者が容易に想到し得ることである。
（イ）の場合について
　引用発明は、構成ｊにおいて、「磁気センサ７１の端面」が「前開口部８１ａ」で「露出」され、「その先端面が遊技盤５の背面に当接又は近接する位置で保持」されていることが特定されていることから、引用発明は、「磁気センサ７１の端面」を「露出」させて「その先端面が遊技盤５の背面に当接又は近接する」ものであり、その態様は、「磁気センサ７１」を「遊技盤５の背面」に直接対向させたものといえる。
　してみると、上記（イ）の場合においては、本願補正発明の相違点１に係る構成である「磁気センサが盤面部品取り付け用開口部に対し後側から直接対向している」点のうち、「磁気センサが」「直接対向している」点は、引用発明が有する構成であり、その点は、実質的な相違点とは認められない。
　そして、上記相違点１に係る構成のうち、「磁気センサが盤面部品取り付け用開口部に対し後側から」「対向している」点について検討すると、引用発明は、磁気センサ７１が、当接又は近接する部位が、普通入賞口ユニット装着孔５ｅの後側であるか否か不明であるが、引用文献２記載事項は、「磁気検知センサ１５５が」「第１貫通孔３７の」「後方に対向させて」「配設された」ものであり、上記（ア）において検討したように、その構成は、本願補正発明の相違点１に係る構成における「磁気センサが盤面部品取り付け用開口部に対しその後側から」「対向している」構成に相当する。
　したがって、引用発明において、先端面が露出された磁気センサ７１が、その先端面が遊技盤５の背面に当接又は近接する位置で保持されることによって普通入賞口ユニット装着孔５ｅに対応させて支持される部位を設定するにあたって、引用文献２記載事項を適用し、磁気センサ７１が普通入賞口ユニット装着孔５ｅの後側に直接対向するように構成し、本願補正発明の上記相違点１に係る構成を成すことは、当業者が容易に想到し得ることである。
　以上のことから、上記（ア）及び（イ）のいずれの場合においても、本願補正発明の上記相違点１に係る構成は、引用発明に引用文献２記載事項を適用することによって、当業者が容易に想到し得ることである。
イ　相違点２について
　上記引用文献３記載事項における「装飾図柄表示装置２０８に表示されている演出表示を消去し、背景をブルースクリーンにし「磁石を検知しました」の文字表示を表示する」することは、本願補正発明の上記相違点２に係る構成における「表示装置の表示面の全面に亘り、所定のエラー画像を、演出表示中の表示内容を視認できないように、表示する」ことに相当する。
　ここにおいて、引用発明と引用文献３記載事項は、いずれも、磁気センサを用いて不正検出を行い、不正を検出した場合にエラー画像を表示する遊技機という共通の技術分野に属するものであり、ともに、不正行為を的確に報知するという自明な共通の課題を有するものであるから、引用発明において、磁気センサ７１からの検知信号に基づいてエラー表示を実行するにあたって、引用文献３記載事項に記載された技術を適用し、画像表示手段に表示されている演出表示を消去し、磁石検知エラー用の表示が表示されるように構成して、本願補正発明の上記相違点２に係る構成とすることは、当業者が容易に想到し得ることである。
ウ　本願補正発明の作用効果について
　本願補正発明の作用効果は、引用発明、引用文献２記載事項、及び、引用文献３記載事項に基づいて当業者が予測できる範囲のものであり、格別なものではない。
（５）　請求人の主張への反論
　請求人は、審判請求書において、
「盤面部品取り付け用開孔部の周囲には表示装置や音演出装置が存在するものの、当該盤面部品取り付け用開孔部にはその前側から盤面部品が取り付けられているのみである。従って、当該盤面部品取り付け用開孔部の前後両側においては、盤面部品や磁気センサを除き、他の構成部品やベニヤ板の積層体等の密集した構成が存在することはなく、簡単な構成となっている。
　従って、磁気センサを、上述のごとく、裏部品に支持して遊技盤の盤面部品取り付け用開孔部にその後側から直接対向させることで、磁気センサは、上述のような簡単な構成のもと、その磁気の流れを妨げられたり磁気を減少させられたりすることなく、良好な磁気検出機能を発揮し得る。
　この点について、詳述すれば、本願発明においては、盤面部品が盤面部品取り付け用開孔部にその前側から取り付けられ、磁気センサが、当該盤面部品取り付け用開孔部にはその後側から直接対向するように裏部品に支持されているのみであって、当該盤面部品取り付け用開孔部は、盤面部品及び磁気センサ以外の他の構成部品やベニヤ板の積層体等により密閉されるものではない。」
と主張している。
　しかしながら、本願補正発明において、盤面部品がどのようなものであるのか何ら特定されていないことに加えて、盤面部品の遊技盤の後側の構成が不明であることから、請求人が主張するように、「当該盤面部品取り付け用開孔部は、盤面部品及び磁気センサ以外の他の構成部品やベニヤ板の積層体等により密閉されるものではない」ものであったとしても、磁気センサと盤面部品取り付け用開口部との間に、どのような構成が存在するのかは不明である。
　そして、請求人の作用効果についての主張である、「盤面部品及び磁気センサ以外の他の構成部品やベニヤ板の積層体等により密閉されない盤面部品取り付け用開孔部に対しその後側から磁センサを直接対向させた構成と、盤面部品及び磁気センサ以外の他の構成部品ベニヤ板の積層体等により密閉される盤面部品取り付け用開孔部に対し磁気センサを対向させる構成とを比較した場合、前者の構成の方が、後者の構成に比べ、磁気の流れを妨げられたり磁気を減少させられたりする度合いが少なく、磁気センサとしての検出機能の信頼性をより一層高く維持し得る」ことは、盤面部品が、遊技盤の後側には何の構成も有しておらず、磁気センサが遊技盤面に近接する位置で盤面部品取り付け用開口部に対向しているのであれば、実現可能であるとも考えられるが、本願補正発明は、そのような点は特定されていない。
　したがって、審判請求書における請求人の主張は、請求項において特定された構成に基づくものではなく採用できない。
（６）　小括
　よって、本願補正発明は、引用発明、引用文献２記載事項、及び、引用文献３記載事項に基づいて当業者が容易に発明をすることができたものであるから、特許法第２９条第２項の規定により特許出願の際独立して特許を受けることができないものである。
４　むすび
　以上のことから、本件補正は、当初明細書等に記載した事項の範囲内においてしたものでないから、当該補正は同法第１７条の２第３項に規定する要件を満たしていないものである。
　また、本願補正発明は、引用発明、引用文献２記載事項、及び、引用文献３記載事項に基づいて当業者が容易に発明をすることができたものであるから、本件補正は、同法第１７条の２第６項で準用する同法第１２６条第７項の規定に違反するものである。
　よって、本件補正は、特許法第１５９条第１項において読み替えて準用する同法第５３条第１項の規定により却下されるべきものである。
第３　本願発明について
１　本願発明
　令和２年３月１１日付けの手続補正は、上記のとおり却下されたので、本願の請求項１に係る発明は、平成３１年１月１８日になされた手続補正により補正された特許請求の範囲の請求項１に記載されたとおりのもの（上記第２［理由］１の「本件補正前」の記載を参照）（以下「本願発明」という。）であり、分説してＡ１ないしＬ１の符号を付与すると、以下のとおりである。
「Ａ１　遊技盤を設けてなる遊技機本体と、
Ｂ１　前記遊技盤の盤面に対向可能な透明板を有して、前記遊技機本体に対し前記遊技盤の盤面側にて開閉可能に支持される前扉と、
Ｃ１　前記遊技盤にその裏側から設けられる裏部品と、
Ｄ１　前記遊技盤に形成してなる盤面部品取り付け用開孔部にその前側から対向するように前記遊技盤の盤面に設けられる盤面部品と
Ｅ１　を備える遊技機において、
　前記裏部品は、
Ｆ１　前記遊技盤にその裏側から設けられる裏カバーと、
Ｇ１　前記遊技盤に形成してなる中央開口部に対向するように前記裏カバーに形成してなる組み付け穴部に前記中央開口部を通してその前方から視認可能なように組み付けられて演出表示を行う表示装置と、
Ｈ１　前記盤面部品用開口部に対向するように支持される磁気センサとを備えており、
Ｋ１　前記遊技盤の盤面に沿い転動する遊技球を前記盤面部品に誘導するように当該遊技球に対し前記前扉の前記透明板を介し磁石を対向させたとき、前記磁石センサは、前記磁石の磁気を検出してエラー検出信号を発生し、
Ｌ１　前記表示装置は、その表示面の全面に亘り、所定のエラー画像を、前記演出表示中の表示内容を視認できないように、前記磁石センサの前記エラー検出信号に基づき、表示する
Ｅ１　ことを特徴とする遊技機。」
２　原査定の拒絶の理由
　原査定の拒絶の理由は、本願発明に対する拒絶の理由を含むものであり、その概要は以下のとおりである。
　本願発明は、本願の出願前に日本国内又は外国において頒布された又は電気通信回線を通じて公衆に利用可能となった下記の引用文献１、引用文献２、及び、引用文献３に記載された事項に基づいて、本願の出願前にその発明の属する技術の分野における通常の知識を有する者が容易に発明をすることができたものであるから、特許法第２９条第２項の規定により特許を受けることができない。
引用文献１：特開２０１３−１４６３９４号公報
引用文献２：特開２０１５−２９７３０号公報
引用文献３：特開２０１６−３００７５号公報
３　引用文献とそれに記載された事項
　原査定の拒絶の理由で引用された引用文献１、引用文献２、及び、引用文献３は、それぞれ、上記第２における引用文献１、引用文献２、及び、引用文献３に対応し、それらの記載事項は、それぞれ、上記第２［理由］３（２）ア、イ及びウに記載したとおりである。
４　対比・判断
　本願発明と引用発明とを対比する。
ア　本願発明の構成Ａ１、Ｂ１、Ｅ１、Ｆ１及びＧ１に関して
　本願発明の構成Ａ１、Ｂ１、Ｅ１、Ｆ１及びＧ１は、それぞれ、本願補正発明の構成Ａ、Ｂ、Ｅ、Ｆ及びＧに相当する。
　よって、前記第２の３（３）ア、イ、オ、カ及びキにおいて検討したように、引用発明は、本願発明の構成Ａ１、Ｂ１、Ｅ１、Ｆ１及びＧ１に相当する構成を有する。
イ　本願発明の構成Ｃ１に関して
　引用発明の構成ｃにおける「画像表示手段１８」と「画像表示手段１８を保持する裏ケース１９」と「不正防止センサユニット２０」は、いずれも、「遊技盤５の裏側に装着され」るものであるから、それらは、本願発明の構成Ｃ１における「前記遊技盤にその裏側から設けられる裏部材」に相当する。
　よって、引用発明は、本願発明の構成Ｃ１に相当する構成を有する。
ウ　本願発明の構成Ｄ１に関して
　引用発明の構成ｄにおける「普通入賞口ユニット１７」は、構成ｉにおいて特定されているように「遊技盤５に設けられた普通入賞口ユニット装着孔５ｅに対して前側から着脱自在に装着され」るものであるから、本願発明の構成Ｄ１における「前記遊技盤に形成してなる盤面部品取り付け用開孔部にその前側から対向するように前記遊技盤の盤面に設けられる盤面部品」に相当する。
　よって、引用発明は、本願発明の構成Ｄ１に相当する構成を有する。
エ　本願発明の構成Ｈ１に関して
　引用発明の構成ｈ及び構成ｊにおける「普通入賞口ユニット１７の後側に対応して裏ケース１９の前側に」「ベース体８３」により「ねじ止め等により着脱自在に固定される」、「磁気センサ７１を遊技盤５の後側で保持するセンサホルダ７３」に「保持」された「磁気センサ７１」と、本願発明の構成Ｈ１における「前記盤面部品用開口部に対向するように支持される磁気センサ」とを対比すると、引用発明は、構成ｉにおいて「普通入賞口ユニット１７」は「遊技盤５に設けられた普通入賞口ユニット装着孔５ｅに対して前側から着脱自在に装着され」るものである点が特定されていることから、引用発明の構成ｊにおける「普通入賞口ユニット１７の後側に対応して」「固定される」ことは、「盤面部品取り付け用開口部」の近傍「の後側に対応して」「固定され」ることであるといえ、また、本願発明の構成Ｈ１における「盤面部品取り付け用開口部に対向するように支持される」することも、「盤面部品取り付け用開口部」の近傍に「対向するように支持される」ことであると認められるから、両者は、「盤面部品取り付け用開口部」の近傍「に対向するように支持される磁気センサ」である点で一致する。
オ　本願発明の構成Ｋ１に関して
　引用発明の構成ｋにおける「磁気センサ７１は、ガラス窓９の前側に強力な磁石が押し当てられたような場合にその磁気を検知し、磁気検知信号を出力」することは、遊技盤５の盤面に沿い転動する遊技球を普通入賞口ユニット１７の第１〜第３普通入賞手段６１ａ〜６１ｃに誘導するように当該遊技球に対しガラス窓９を介し磁石を対向させたときにも「その磁気を検知し、磁気検知信号を出力」するから、本願発明の構成Ｋ１における「前記遊技盤の盤面に沿い転動する遊技球を前記盤面部品に誘導するように当該遊技球に対し前記前扉の前記透明板を介し磁石を対向させたとき、前記磁石センサは、前記磁石の磁気を検出してエラー検出信号を発生」することに相当する。
　よって、引用発明は、本願発明の構成Ｋ１に相当する構成を有する。
カ　本願発明の構成Ｌ１に関して
　引用発明の構成ｌにおける「画像表示手段１８」は「磁気センサ７１から磁気検知信号を受けた場合、」「エラー表示」が「実行」されることと、本願発明の構成Ｌ１における「前記表示装置は、その表示面の全面に亘り、所定のエラー画像を、前記演出表示中の表示内容を視認できないように、前記磁気センサの前記エラー検出信号に基づき、表示する」ことを対比すると、両者は、「前記表示手段は」、「所定のエラー画像を」「前記磁石センサの前記エラー検出信号に基づき、表示する」点で一致する。
　以上のことから、本願発明と引用発明は、以下の点で一致する。
＜一致点＞
「Ａ１　遊技盤を設けてなる遊技機本体と、
Ｂ１　前記遊技盤の盤面に対向可能な透明板を有して、前記遊技機本体に対し前記遊技盤の盤面側にて開閉可能に支持される前扉と、
Ｃ１　前記遊技盤にその裏側から設けられる裏部品と、
Ｄ１　前記遊技盤に形成してなる盤面部品取り付け用開孔部にその前側から対向するように前記遊技盤の盤面に設けられる盤面部品と
Ｅ１　を備える遊技機において、
　前記裏部品は、
Ｆ１　前記遊技盤にその裏側から設けられる裏カバーと、
Ｇ１　前記遊技盤に形成してなる中央開口部に対向するように前記裏カバーに形成してなる組み付け穴部に前記中央開口部を通してその前方から視認可能なように組み付けられて演出表示を行う表示装置と、
Ｈ１’　前記盤面部品用開口部の近傍に対向するように支持される磁気センサとを備えており、
Ｋ１　前記遊技盤の盤面に沿い転動する遊技球を前記盤面部品に誘導するように当該遊技球に対し前記前扉の前記透明板を介し磁石を対向させたとき、前記磁石センサは、前記磁石の磁気を検出してエラー検出信号を発生し、
Ｌ１’　前記表示装置は、所定のエラー画像を、前記磁石センサの前記エラー検出信号に基づき、表示する
Ｅ１　遊技機。」
　そして、両者は、以下の点で相違する。
＜相違点Ａ＞　（構成Ｈ１に関して）
　磁気センサに関して、本願発明では、磁気センサが盤面部品取り付け用開口部に対し対向しているのに対して、引用発明では、磁気センサ７１が普通入賞口ユニット装着孔５ｅの近傍に対向していると認められるが、普通入賞口ユニット装着孔５ｅに対向するか否かは不明である点。
＜相違点Ｂ＞　（構成Ｌ１に関して）
　エラー画像の表示に関して、本願発明では、表示装置の表示面の全面に亘り、所定のエラー画像を、演出表示中の表示内容を視認できないように、表示するのに対して、引用発明ではエラー表示の詳細が不明である点。
　上記の各相違点について検討すると、相違点Ａ及び相違点Ｂは、実質的に上記第２の３（３）において検討した本願発明と引用発明との対比における相違点１及び相違点２と同じものであり、それらの相違点については、上記第２の３（４）において検討したとおりである。
　したがって、本願発明は、引用発明、引用文献２記載事項、及び、引用文献３記載事項に基づいて当業者が容易に発明をすることができたものである
第４　むすび
　以上のとおりであるから、本願発明は、特許法第２９条第２項の規定により特許を受けることができないから、他の請求項に係る発明について検討するまでもなく、本願は拒絶されるべきものである。
　よって、結論のとおり審決する。